(57)【特許請求の範囲】
【請求項１】
ウォーターマークおよび／またはこのウォーターマーク以外にコピー制御情報が適宜挿入されたデジタル入力を受け、このデジタル入力に対応したアナログ出力を送出する装置において、
前記デジタル入力に前記ウォーターマークが挿入されているときは、そのウォーターマーク入りのアナログ出力を送出し、
前記デジタル入力に前記ウォーターマークが挿入されていないが、挿入されている前記コピー制御情報がコピー制限情報を含むときは、所定のウォーターマークを挿入して、ウォーターマーク入りのアナログ出力を送出するように構成されたウォーターマーク処理装置。
【請求項２】
前記デジタル入力はビデオコンテンツおよび／またはオーディオコンテンツを含み、
前記ビデオコンテンツのデジタル入力に前記ウォーターマークが挿入されているときは、そのウォーターマーク入りのアナログビデオ出力を送出し、
前記ビデオコンテンツのデジタル入力に前記ウォーターマークが挿入されていないが、挿入されている前記コピー制御情報がコピー制限情報を含むときは、アナログ変換前に所定のウォーターマークを挿入して、ウォーターマーク入りのアナログビデオ出力を送出し、
前記オーディオコンテンツのデジタル入力に前記ウォーターマークが挿入されているときは、そのウォーターマーク入りのアナログオーディオ出力を送出し、
前記オーディオコンテンツのデジタル入力に前記ウォーターマークが挿入されていないが、挿入されている前記コピー制御情報がコピー制限情報を含むときは、アナログ変換前に所定のウォーターマークを挿入して、ウォーターマーク入りのアナログオーディオ出力を送出しするように構成された請求項１に記載の装置。
【請求項３】
前記ビデオコンテンツのアナログビデオ出力に挿入される前記ウォーターマークが、コンポジットアナログビデオ出力のベースバンドに挿入されるように構成された請求項２に記載の装置。
【請求項４】
前記ビデオコンテンツのアナログビデオ出力に挿入される前記ウォーターマークが、コンポーネントアナログビデオ出力の色差信号に挿入されるように構成された請求項２に記載の装置。
【請求項５】
前記オーディオコンテンツのアナログオーディオ出力に挿入される前記ウォーターマークが、オーディオの再生帯域下限以下および／または再生帯域上限以上の周波数域に挿入されるように構成された請求項２ないし請求項４のいずれか１項に記載の装置。
【請求項６】
ウォーターマークおよび／またはこのウォーターマーク以外にコピー制御情報が適宜挿入されたデジタル入力を受け、このデジタル入力に対応したアナログ出力を送出する方法において、
前記デジタル入力に前記ウォーターマークが挿入されているときは、そのウォーターマーク入りのアナログ出力を送出し、
前記デジタル入力に前記ウォーターマークが挿入されていないが、挿入されている前記コピー制御情報がコピー制限情報を含むときは、所定のウォーターマークを挿入して、ウォーターマーク入りのアナログ出力を送出するように構成されたウォーターマーク処理方法。
【発明の詳細な説明】
【０００１】
【発明の属する技術分野】
この発明は、デジタルコンテンツがアナログ変換された後の不正コピーを防止もしくは抑制するウォーターマーク処理装置およびウォーターマーク処理方法に関する。
【０００２】
【従来の技術】
周知のように、近年では、デジタル化されたオーディオ／ビデオのコンテンツ（ＡＶコンテンツ）が数多く流通している。これらのコンテンツのうち、有料のものについては、大抵はコピープロテクトが施されている。このコピープロテクトの方法は色々考案されているが、デジタル状態にあるコンテンツに対しては、コピー制御情報（Copy Control Information；略してＣＣＩ）とウォーターマーク（Watermark；略してＷＭ）が適宜組み合わされて、コンテンツのクォリティにダメージを与えることなく、効果的なコピープロテクトがなされている。ところが、このコンテンツが一旦アナログ信号に変換された後は、このアナログ信号のクォリティに悪影響を与えることなく確実に不正コピーを防止する良い方法がない。
【０００３】
すなわち、現状では、コンテンツのソース機器（デジタルビデオプレーヤ、デジタルビデオレコーダ、デジタル放送チューナ等）とシンク機器（アナログビデオディスプレイ、アナログビデオレコーダ等）との間の接続は、今だアナログ接続でなされる場合が多い。この場合、ソース機器とシンク機器との間の信号受け渡し部分でアナログ状態にあるコンテンツに関しては、（コンテンツのクォリティにダメージを与えないで）効果的なコピープロテクトを実現することは困難な状況にある。
【０００４】
アナログ状態にあるビデオコンテンツのコピープロテクトに関しては、同期信号中にコピー防止パルスを挿入する方法が知られている。しかしながら、この方法では、一部のディスプレイや信号スイッチャにおいて画質に悪影響が生じることがある（特に、高画質が求められるアナログコンポーネント接続の場合に影響が大きい）。近年の高画質コンテンツ（コンポーネント送りのプログレッシブ映像またはハイビジョン映像）においては、モニタディスプレイ（特にHigh Definitionディスプレイ）に送られる“アナログ信号のクォリティに悪影響を与えない”という要求は、特に重要性が高く、同期信号中にコピー防止パルスを挿入するような方法ではこの要求に十分に答えることは難しい。
【０００５】
上記要求に答える一方法として、下記特許文献１に開示された「アナログコピープロテクトシステム」がある。
【０００６】
【特許文献１】
特開２０００−３５８２２７号公報（図１、図２３；段落００３５〜００３６、段落０１８５〜０１９２）。
【０００７】
この公報では、同期信号中にコピー防止パルスを挿入する方法は採っていない。その代わりに、コンポーネント信号の信号ラインあるいは信号位相を頻繁に入れ替えることでコンポーネント信号のスクランブルを行っている（図２３；段落０１８５〜０１９２）。
【０００８】
そして、この公報では、スクランブルされたアナログコンポーネント信号のデ・スクランブル回路を特別なＡＣＰアダプタに組み込み、このアダプタを、一旦モニタディスプレイ（シンク機器）に装着したら二度と取り外せない（無理に取り外せば壊れる）ように構成している（図１）。これにより、デ・スクランブルされたアナログコンポーネント信号の正常視聴はできるが、デ・スクランブルされたアナログコンポーネント信号が横流しされて不正コピーされることを防止している（段落００３５〜００３６）。
【０００９】
【発明が解決しようとする課題】
上記特許文献１に開示された「アナログコピープロテクトシステム」は、高画質コンテンツ（コンポーネント送りのプログレッシブ映像またはハイビジョン映像）のクォリティに悪影響を与えずにアナログ状態にあるビデオ信号の不正コピーを確実に防止できる点で優れている。しかしながら、そのデ・スクランブル回路をもたない従前の既存モニタディスプレイに対しては、専用のＡＣＰアダプタをサービスマンが個別に取付なければならないといった不便がある。
【００１０】
この発明は、コンテンツがデジタル状態にあるときは不正コピーから確実に保護されているのに、このコンテンツが一旦アナログに変換されると不正コピーから確実に保護されないという課題に対してなされている。そして、この発明の目的は、デジタルコンテンツがアナログ変換された後の不正コピーを防止（あるいは抑制）するウォーターマーク処理装置およびウォーターマーク処理方法を提供することである。
【００１１】
【課題を解決するための手段】
この発明の一実施の形態に係るウォーターマーク処理装置は、ウォーターマーク（ＷＭ）および／またはこのウォーターマーク以外にコピー制御情報（ＣＣＩ）が適宜挿入されたデジタル入力（Ｄｉ）を受け、このデジタル入力に対応したアナログ出力（Ａｏ）を送出するように構成されている。この装置（例えば図１の１１０）において、デジタル入力（Ｄｉ）に既にウォーターマークが挿入されているときは、そのウォーターマーク（ＷＭ−１）入りのアナログ出力（Ａｏ）が送出される。一方、デジタル入力（Ｄｉ）内にウォーターマークは挿入されていないがコピー制御情報（ＣＣＩ）が存在し、このコピー制御情報（ＣＣＩ）がコピー制限情報（コピーネバーまたはノーモアコピー）を含むときは、（アナログ変換前に）所定のウォーターマーク（ＷＭ−２）が挿入（マーキング）されて、ウォーターマーク（ＷＭ−２）入りのアナログ出力（Ａｏ）が送出される。
【００１２】
また、この発明の一実施の形態に係るウォーターマーク処理方法は、ウォーターマーク（ＷＭ）および／またはこのウォーターマーク以外にコピー制御情報（ＣＣＩ）が適宜挿入されたデジタル入力（Ｄｉ）を受け、このデジタル入力に対応したアナログ出力（Ａｏ）を送出するように構成されている。この方法（例えば図３の処理）では、デジタル入力（Ｄｉ）に既にウォーターマークが挿入されているときは（ＳＴ１００の“ＷＭあり”）、そのウォーターマーク（ＷＭ−１）入りのアナログ出力（Ａｏ）を送出する（ＳＴ１０８〜ＳＴ１１０）。一方、デジタル入力（Ｄｉ）内にウォーターマークは挿入されていないがコピー制御情報（ＣＣＩ）がコピー制限情報（コピーネバーまたはノーモアコピー）を含むときは（ＳＴ１０２の“制限あり”）、（アナログ変換前に）所定のウォーターマーク（ＷＭ−２）を挿入（マーキング）して（ＳＴ１０４）、ウォーターマーク（ＷＭ−２）入りのアナログ出力（Ａｏ）を送出する（ＳＴ１０８〜ＳＴ１１０）。
【００１３】
上記のように構成すれば、コピーが禁止されていないコンテンツを除き、アナログ出力には必ずウォーターマーク（デジタル入力にあったウォーターマークＷＭ−１か、このＷＭ−１がないときは別途生成したウォーターマークＷＭ−２）が埋め込まれることになるから、このウォーターマークにより不正コピーの流布を防止（あるいは抑制）できる。
【００１４】
なお、“および／または”という表現は、英語における“and/or”と同義であり、“〜および〜”の場合もしくは“〜または〜”の場合を示す意図で用いている。
【００１５】
【発明の実施の形態】
以下、この発明の実施の形態について、図面を参照して詳細に説明する。
【００１６】
図１は、この発明の一実施の形態に係るウォーターマーク処理装置の基本構成例を説明するブロック図である。この実施の形態で例示するデジタルソース機器１００としては、例えばＢＳデジタルチューナあるいはデジタルＡＶ出力を備えたＤＶＤプレーヤ（若しくはＤＶＤレコーダ）がある。また、この実施の形態で例示するアナログシンク機器１２０としては、例えばアナログコンポーネント入力（Ｙ／Ｃｂ／Ｃｒ；Ｙ／Ｕ／Ｖ；Ｙ／Ｐｂ／Ｐｒ等）を備えたＨＤ（High Definition）ディスプレイがある。このアナログシンク機器１２０は、コンポジットビデオ信号（標準ＮＴＳＣビデオ信号等）あるいはＹ／Ｃ分離したＳ信号を１つの入力端子で受け、受けたビデオ信号を内部でプログレッシブ映像に変換し、あるいは内部でＨＤビデオ信号にアップコンバートするタイプのＨＤディスプレイでもよい。あるいは、高解像度に拘らなければ、通常のコンポジットビデオ入力（ピン入力またはＳ端子入力）付アナログＴＶモニタでもよい。このシンク機器１２０は、ビデオ入力しかないビデオモニタの場合もあれば、ビデオ＋オーディオの入力があるテレビモニタの場合もある。また、オーディオアンプ（またはＡＶアンプ）をシンク機器１２０として扱うこともできる。
【００１７】
上記のデジタルソース機器１００とアナログシンク機器１２０との間に、この発明に係るデコーダ（ウォーターマーク処理装置）１１０が挿入される。
【００１８】
この実施の形態では、デジタルソース機器１００からのデジタル送出は、例えばＨＤＭＩ（High Definition Multimedia Interface）またはIEEE1394を用いたＤＴＣＰ（Digital Transmission Content Protection）に基づいて行なうことができる。すなわち、デコーダ１１０へのデジタル入力Ｄｉに対しては、ＨＤＭＩあるいはＤＴＣＰに準拠したコピー制御情報ＣＣＩ（Copy Control Information）およびウォーターマークＷＭ（Watermark）の付加（マーキング）を、適宜行うことができるようになっている。（ウォーターマーク自体も同様なコピー制御情報を内包できる。）
ＨＤＭＩは、ＥＩＡ／ＣＥＡ−８６１−Ｂ準拠の映像音声形式（ＹＰｂＰｒまたはＹＣｂＣｒもしくはＹＵＶ）で映像信号伝送が可能であるとともに、マルチチャネルオーディオの伝送も可能となっている。このＨＤＭＩは既存のＤＶＩ（Digital Visual Interface）との互換性が配慮されている。また、ＨＤＭＩでは、映像信号の垂直／水平ブランキング区間に音声信号を伝送するようになっている。
【００１９】
一方、IEEE1394でも、コンポーネントビデオ信号とともにマルチチャネルオーディオの伝送が可能である。実際のＤＶＤ製品（プレーヤ／レコーダ）に対するIEEE1394インターフェイスの普及はこれからであるが、IEEE1394インターフェイスを持ったデジタル機器は既に市場に受け入れられている。例えばＢＳデジタルチューナではIEEE1394インターフェイスが用いられている。（なお、一部のＡＶコンテンツに関しては、無線を利用した“Bluetooth（Ｒ）”にＤＴＣＰを適用したものをデジタル入力Ｄｉの伝送に利用することもできる。）
ＨＤＭＩあるいはＤＴＣＰは、接続機器間認証（相手の認証Authenticationと鍵交換Key Exchange）、コンテンツ暗号化（Contents Encryption）、コピー制御情報（Copy Control Information；ＣＣＩ）伝達、およびシステム更新（Renewability）といった機能を持っている。
【００２０】
ここで、コピー制御情報ＣＣＩは、４種類のコピー制御情報（状況如何を問わずコピー絶対禁止のコピーネバー；以前はコピー可能であっても今後はコピーを許さないノーモアコピー；今後１回だけはコピーを許すコピーワンス；幾らでもコピー可能なコピーフリー）で構成することができる。
【００２１】
コピー制御情報ＣＣＩがIEEE1394／ＤＴＣＰに適用される場合、送信側では、例えばコンテンツのＣＣＩ値に応じて1394ヘッダのＥＭＩ（Encryption Mode Indicator）に暗号化モード（コピーフリー、コピーワンス、ノーモアコピー、コピーネバー等）がセットされ、暗号鍵の生成モードが指定される（ここで、ＥＭＩは暗号化されないが、埋め込まれたＣＣＩは暗号化される）。また、受信側では、例えばＥＭＩに従って復号鍵の生成モード（コピーフリー“00”、コピーワンス“10”、ノーモアコピー“01”、コピーネバー“11”等）が設定される。
【００２２】
図１のデコーダ１１０は、上記のような内容のコピー制御情報ＣＣＩおよび／またはデジタル入力Ｄｉ内に適宜埋め込まれたウォーターマークＷＭの内容（ＣＣＩおよび／またはＷＭの“コピーフリー、コピーワンス、ノーモアコピー、コピーネバー”等）に応じて、適宜ウォーターマークＷＭが埋め込まれたアナログ出力Ａｏをアナログシンク機器（アナログコンポーネント入力を備えたＨＤディスプレイ等）１２０に送出するように構成される。すなわち、コピー制御情報ＣＣＩがコピー禁止の内容（“ノーモアコピー、コピーネバー”等）をもっておれば、入力ＤｉにウォーターマークＷＭが有ろうが無かろうが、アナログ出力ＡｏにウォーターマークＷＭを埋め込む（ウォーターマークのマーキング）ようになっている。ここで、入力Ｄｉに既にウォーターマークＷＭがあるときは、コピー制御情報ＣＣＩの内容如何を問わずアナログ出力Ａｏに（入力Ｄｉにあったものに相当する）ウォーターマークＷＭが埋め込まれる。
【００２３】
このように構成すると、ウォーターマークのない（しかしコピー禁止された）既存のコンテンツの“アナログ状態を経由した”不正コピーを、防止あるいは抑制できるようになる。例えば、ソース機器がＤＶＤビデオプレーヤであり、このプレーヤでコピー禁止情報が書き込まれた（ウォーターマークなしの）ＤＶＤビデオディスクが再生されたとする。この場合、図１のデコーダ１１０内の処理部１１２は、ソース機器（ＤＶＤビデオプレーヤ）１００からのデジタル入力（ビデオ）Ｄｉからコピー制御情報ＣＣＩを抽出して、入力されたデジタルコンテンツがコピー禁止（例えばコピーネバー）であることを検出する。すると、処理部１１２は内部生成した（コピーネバーの）ウォーターマークＷＭをデジタル入力Ｄｉのコンテンツ内に埋め込み、これをＤ／Ａ変換器１１４に渡してＤ／Ａ変換する。こうしてウォーターマークＷＭが埋め込まれたアナログ出力（ビデオ）Ａｏが、アナログシンク機器１２０に送出される。
【００２４】
ここで、（コピーネバーの）ウォーターマークＷＭが埋め込まれたアナログ出力Ａｏがアナログビデオレコーダのビデオ入力（あるいはデジタルビデオレコーダのアナログビデオ入力）に送り込まれ、録画されようとした場合を想定してみる。この場合、録画用レコーダがウォーターマーク検出機能を持っておれば、録画は禁止される。
【００２５】
録画用レコーダがウォーターマーク検出機能を持っていない録再機（ウォーターマーク非対応機；例えば旧来のアナログビデオカセットレコーダ）であれば、ウォーターマークＷＭともども、録画可能となる。しかし、録再機がウォーターマークに非対応のアナログビデオカセットレコーダであっても、そのアナログ録再出力中にはウォーターマークＷＭが埋め込まれている。そのため、そのアナログ再生出力をウォーターマーク対応の新型録再機（デジタルディスクレコーダ等）でさらにコピーしようとしても、それはできない。ついでながら、このような旧来のアナログビデオカセットレコーダでは、高画質なデジタル映像本来のクォリティを保った録再はできない。その意味では、たとえ形の上でアナログ録再ができたとしても、高画質デジタルコンテンツ（特にデジタルＨＤビデオコンテンツ）の不正コピーは、実質的見地から抑制されることになる。
【００２６】
上記の（ウォーターマークＷＭが埋め込まれた）アナログ再生出力は、ウォーターマーク非対応の旧型アナログビデオカセットレコーダでなら更にコピー（孫コピー、曾孫コピー等）できるであろうが、アナログ録再の宿命で、コピー世代を経る毎にクォリティは確実に劣化する。このため、ハイクォリティコンテンツの不正コピーが（ハイクォリティのまま）ねずみ算的に増加する恐れはない。また、旧来のアナログビデオカセットレコーダでは高画質デジタル録画に対応できないため、デジタルＨＤ映像が主流となる時代（もうその時代に突入している）には、このような旧来のアナログビデオカセットレコーダは次第に姿を消すようになる。
【００２７】
デジタルＨＤ映像が主流となる時代の民生用高画質デジタル録再機は全てウォーターマークＷＭ対応機になっていると予想され、その時代では、アナログ出力にウォーターマークＷＭを埋め込んでおけば、コピープロテクトされたコンテンツが“アナログ信号ライン経由で”不正コピーされる恐れはなくなっている（“デジタル信号ライン経由で”の不正コピーは、デジタル情報内に埋め込まれたコピー制御情報ＣＣＩにより確実に防止される）。
【００２８】
なお、前記デジタル入力Ｄｉは、ビデオコンテンツＶおよび／またはオーディオコンテンツＡを含むことができる。すなわち、映画等であればビデオ＋オーディオのコンテンツがデジタル入力に含まれ、映像なしの音楽であればオーディオコンテンツだけがデジタル入力に含まれる。例外的ではあるが、オーディオなしで映像のみのコンテンツであればビデオコンテンツだけがデジタル入力に含まれる。
【００２９】
上記のうち、ビデオ＋オーディオのコンテンツ（ＡＶコンテンツ）がデジタル入力に含まれており、ビデオとオーディオの双方に対してウォーターマークおよびコピー制御情報が付与され得る状況を想定すると、この発明の一実施の形態に係るウォーターマーク処理装置は、以下のように構成できる。
【００３０】
すなわち、ビデオコンテンツＶのデジタル入力Ｄｉにウォーターマークが既に挿入されているときは、そのウォーターマーク（ＷＭ−１Ｖ）入りのアナログビデオ出力（ＡｏＶ）を送出する。ビデオコンテンツＶのデジタル入力Ｄｉにウォーターマークは挿入されていないが、そのコピー制御情報ＣＣＩがコピー制限情報（コピーネバーまたはノーモアコピー）を含むときは、アナログ変換前に所定のウォーターマーク（ＷＭ−２Ｖ）を挿入して、ウォーターマーク（ＷＭ−２Ｖ）入りのアナログビデオ出力（ＡｏＶ）を送出する。
【００３１】
ここで、ビデオのウォーターマーク（ＷＭ−１ＶまたはＷＭ−２Ｖ）は、アナログコンポジットビデオ信号なら、例えばそのベースバンドに埋め込まれる。また、アナログコンポーネントビデオ信号なら、例えば色差信号成分（Ｃｂおよび／またはＣｒ等）にビデオのウォーターマーク（ＷＭ−１ＶまたはＷＭ−２Ｖ）が埋め込まれる。視覚上画質ダメージが認められないときは、輝度信号成分（Ｙ）にビデオのウォーターマーク（ＷＭ−１ＶまたはＷＭ−２Ｖ）を埋め込んでもよい。
【００３２】
同様に、オーディオコンテンツＡのデジタル入力Ｄｉにウォーターマークが既に挿入されているときは、そのウォーターマーク（ＷＭ−１Ａ）入りのアナログオーディオ出力（ＡｏＡ）を送出する。オーディオコンテンツＡのデジタル入力Ｄｉに前記ウォーターマークは挿入されていないが、そのコピー制御情報ＣＣＩがコピー制限情報（コピーネバーまたはノーモアコピー）を含むときは、アナログ変換前に所定のウォーターマーク（ＷＭ−２Ａ）を挿入して、ウォーターマーク（ＷＭ−２Ａ）入りのアナログオーディオ出力（ＡｏＡ）を送出する。
【００３３】
ここで、オーディオのウォーターマーク（ＷＭ−１ＡまたはＷＭ−２Ａ）は、例えばオーディオ帯域の再生下限以下（１０〜２０Ｈｚ以下）および／またはオーディオ帯域の再生上限以上（４０ｋ〜８０ｋＨｚ以上の伝送可能帯域部分）に（音質劣化を引き起こさないような控えめな信号レベルで）埋め込むことができる。オーディオが２ｃｈ以上の多チャネルのときは、全チャネルにウォーターマークを埋め込んでもよいが、それらのチャネルの内の一部にだけウォーターマークを埋め込んでもよい。例えば５．１ｃｈサラウンドオーディオの場合では、サブウーハチャネル（０．１ｃｈ）またはフロントセンタチャネルあるいはリアチャネルだけにウォーターマークを入れても良い。
【００３４】
図１の構成によれば、アナログ出力Ａｏへのウォーターマーク挿入を、デジタル入力Ｄｉ内のウォーターマークＷＭとコピー制御情報ＣＣＩとの組み合わせに基づいて自動的に行うことができる（ウォーターマーク対象はビデオでもオーディオでもよい）。
【００３５】
図２は、図１の処理部１１２内において、アナログ出力へのウォーターマークの埋め込みをどのようにして行うかの一例を説明する図である。ここでは、デジタル入力Ｄｉおよびアナログ出力Ａｏで扱うコンテンツの種類が２種類（ビデオとオーディオ）の場合を例示している。（ビデオとオーディオの他にデジタル放送等に含まれるサービス情報のような別のコンテンツがある場合も、可能な組み合わせ数が増えるだけで、考え方は変わらない。）
図２の左側は、ソース機器１００側からのデジタル入力ＤｉとしてビデオＶとオーディオＡがあり、シンク機器１２０側へのアナログ出力Ａｏにも入力Ｄｉに対応してビデオＶとオーディオＡがある場合を例示している。ここで×はウォーターマークが埋め込まれていない場合を示し、○はウォーターマークが埋め込まれている場合を示している。
【００３６】
また、図２の右側は、デジタル入力Ｄｉ側のビデオＶおよびオーディオＡに埋め込まれたウォーターマークＷＭの有無とデジタル入力Ｄｉ側のコピー制御情報ＣＣＩとの組み合わせに応じて、アナログ出力Ａｏ側のビデオＶおよびオーディオＡに埋め込まれるべきウォーターマークＷＭがどうなるかの一例を示している。
【００３７】
（１）すなわち、デジタル入力ＤｉのビデオＶおよびオーディオＡのいずれもウォーターマークなし（Ｖ＝×／Ａ＝×；注１）なら、アナログ出力ＡｏのビデオＶおよびオーディオＡのウォーターマークは、デジタル入力Ｄｉ内のコピー制御情報ＣＣＩによって、以下のように決定される。
【００３８】
（１−１）デジタル入力ＤｉのビデオＶおよびオーディオＡのいずれもウォーターマークなし（Ｖ＝×／Ａ＝×）であり、デジタル入力ＤｉのビデオＶおよびオーディオＡのいずれもコピーフリー（Copy Free；略してＣＦ）なら、アナログ出力ＡｏのビデオＶおよびオーディオＡのウォーターマークは、いずれもなし（Ｖ＝×／Ａ＝×；図２右側注１の縦列でＣＦ行）となる。
【００３９】
（１−２）デジタル入力ＤｉのビデオＶおよびオーディオＡのいずれもウォーターマークなし（Ｖ＝×／Ａ＝×）であり、デジタル入力ＤｉのビデオＶおよびオーディオＡのいずれもコピーワンス（Copy Once；略してＣＯ）なら、アナログ出力ＡｏのビデオＶおよびオーディオＡのウォーターマークは、いずれもなし（Ｖ＝×／Ａ＝×；図２右側注１の縦列でＣＯ行）となる。
【００４０】
（１−３）デジタル入力ＤｉのビデオＶおよびオーディオＡのいずれもウォーターマークなし（Ｖ＝×／Ａ＝×）であり、デジタル入力ＤｉのビデオＶおよびオーディオＡのいずれもノーモアコピー（No-more Copy；略してＮＣ）なら、アナログ出力ＡｏのビデオＶおよびオーディオＡのウォーターマークは、いずれもあり（Ｖ＝○／Ａ＝○；図２右側注１の縦列でＮＣ行）となる。
【００４１】
（１−４）デジタル入力ＤｉのビデオＶおよびオーディオＡのいずれもウォーターマークなし（Ｖ＝×／Ａ＝×）であり、デジタル入力ＤｉのビデオＶおよびオーディオＡのいずれもコピーネバー（Copy Never；略してＣＮ）なら、アナログ出力ＡｏのビデオＶおよびオーディオＡのウォーターマークは、いずれもあり（Ｖ＝○／Ａ＝○；図２右側注１の縦列列でＣＮ行）となる。
【００４２】
（２）デジタル入力ＤｉのビデオＶにはウォーターマークがないが、オーディオＡにはウォーターマークがある（Ｖ＝×／Ａ＝○；注２）場合、アナログ出力ＡｏのオーディオＡのウォーターマークは“あり”（Ａ＝○）で決まりだが、ビデオＶのウォーターマークは、デジタル入力Ｄｉ内のコピー制御情報ＣＣＩその他の事情によって、以下のように決定される。
【００４３】
（２−１）デジタル入力ＤｉのビデオＶおよびオーディオＡのいずれもコピーフリー（ＣＦ）なら、アナログ出力ＡｏのオーディオＡのウォーターマークは無条件で“あり”（Ａ＝○）となるが、アナログ出力ＡｏのビデオＶのウォーターマークはその他の事情で決まる（Ｖ＝−；図２右側注２の縦列でＣＦ行）となる。
【００４４】
ここで、“その他の事情”の一例を挙げれば、コンテンツプロバイダの要求がある。すなわち、コンテンツプロバイダが、「ビデオにはウォーターマークを入れていないがそのビデオと同時再生するオーディオにはウォーターマークがあるときは、ビデオのアナログ出力にもウォーターマークを入れたい」と要求しているときは、図２右側注２の縦列でＣＦ行のＶ＝“−”はＶ＝“○”となる。
【００４５】
一方、「アナログオーディオ出力にウォーターマークが入っていれば、アナログビデオ出力にはウォーターマークが無くてもよい」ときは、図２右側注２の縦列でＣＦ行のＶ＝“−”はＶ＝“×”となる。
【００４６】
（２−２）デジタル入力ＤｉのビデオＶおよびオーディオＡのいずれもコピーワンス（ＣＯ）のときは、上記（２ー１）と同じ扱いでよい（Ｖ＝−／Ａ＝○；図２右側注２の縦列でＣＯ行）。
【００４７】
（２−３）デジタル入力ＤｉのビデオＶおよびオーディオＡのいずれもノーモアコピー（ＮＣ）なら、アナログ出力ＡｏのビデオＶおよびオーディオＡのウォーターマークは、いずれも“あり”（Ｖ＝○／Ａ＝○；図２右側注２の縦列でＮＣ行）となる。
【００４８】
（２−４）デジタル入力ＤｉのビデオＶおよびオーディオＡのいずれもコピーネバー（ＣＮ）のときは、上記（２ー３）と同じ扱いでよい（Ｖ＝○／Ａ＝○；図２右側注２の縦列でＣＮ行）となる。
【００４９】
（３）デジタル入力ＤｉのビデオＶにはウォーターマークがあるが、オーディオＡにはウォーターマークがない（Ｖ＝○／Ａ＝×；注３）場合、アナログ出力ＡｏのビデオＶのウォーターマークは“あり”（Ｖ＝○）で決まりだが、オーディオＡのウォーターマークは、デジタル入力Ｄｉ内のコピー制御情報ＣＣＩその他の事情によって、以下のように決定される。
【００５０】
（３−１）デジタル入力ＤｉのビデオＶおよびオーディオＡのいずれもコピーフリー（ＣＦ）なら、アナログ出力ＡｏのビデオＶのウォーターマークは無条件で“あり”（Ｖ＝○）となるが、アナログ出力ＡｏのオーディオＡのウォーターマークはその他の事情で決まる（Ａ＝−；図２右側注３の縦列でＣＦ行）となる。
【００５１】
ここでの“その他の事情”の一例を挙げれば、コンテンツプロバイダの要求がある。すなわち、コンテンツプロバイダが、「オーディオにはウォーターマークを入れていないがそのオーディオと同時再生するビデオにはウォーターマークがあるときは、オーディオのアナログ出力にもウォーターマークを入れたい」と要求しているときは、図２右側注３の縦列でＣＦ行のＡ＝“−”はＡ＝“○”となる。
【００５２】
一方、「アナログビデオ出力にウォーターマークが入っていれば、アナログオーディオ出力にはウォーターマークが無くてもよい」ときは、図２右側注３の縦列でＣＦ行のＡ＝“−”はＡ＝“×”となる。
【００５３】
（３−２）デジタル入力ＤｉのビデオＶおよびオーディオＡのいずれもコピーワンス（ＣＯ）のときは、上記（３ー１）と同じ扱いでよい（Ｖ＝○／Ａ＝−；図２右側注３の縦列でＣＯ行）。
【００５４】
（３−３）デジタル入力ＤｉのビデオＶおよびオーディオＡのいずれもノーモアコピー（ＮＣ）なら、アナログ出力ＡｏのビデオＶおよびオーディオＡのウォーターマークは、いずれも“あり”（Ｖ＝○／Ａ＝○；図２右側注３の縦列でＮＣ行）となる。
【００５５】
（３−４）デジタル入力ＤｉのビデオＶおよびオーディオＡのいずれもコピーネバー（ＣＮ）のときは、上記（３ー３）と同じ扱いでよい（Ｖ＝○／Ａ＝○；図２右側注３の縦列でＣＮ行）となる。
【００５６】
なお、上記“その他の事情”を決める要素は、コンテンツプロバイダの要求に限定されない。例えば、図１のデコーダ１１０を設計し販売する機器メーカが、その設計段階で、“−”の部分を“○”にするか“×”にするか決めることもできる。具体例を挙げれば、図２の注２または注３の縦列で、ＣＦの行では“−”をウォーターマークなしの“×”とし、ＣＯの行では“−”をウォーターマークありの“○”とすることができる。この場合、コピーワンスのコンテンツをアナログ出力Ａｏ経由でコピーすると、そのコピー後のＡＶコンテンツにはウォーターマークが入ることになり、仮にそのコンテンツのＣＣＩ制御が何らかの手段で不正にキャンセルされても、以後の不正コピーにはウォーターマークが残るようになる。
【００５７】
（４）デジタル入力ＤｉのビデオＶおよびオーディオＡのいずれもウォーターマーク“あり”（Ｖ＝○／Ａ＝○）なら、デジタル入力Ｄｉ内のコピー制御情報ＣＣＩの内容に拘わらず、アナログ出力ＡｏのビデオＶおよびオーディオＡのウォーターマークは、いずれも“あり”（Ｖ＝○／Ａ＝○）となる。
【００５８】
図１の構成に図２の構成を適用すれば、ウォーターマークの対象を、１種類以上のコンテンツ（図２の例ではビデオおよび／またはオーディオ）に拡張することができる。
【００５９】
なお、デジタルコンテンツのコピー制御方法にはＳＣＭＳ（Serial Copy Management System）もある。このＳＣＭＳもコピー制御情報ＣＣＩの一種であり、ＳＣＭＳによってもコピーフリー、コピーワンス、コピーネバーが指定できる（ＳＣＭＳではノーモアコピーは規定されていないが、ノーモアコピーとコピーネバーを同じ扱いにすれば、ＳＣＭＳとＤＴＣＰとの間の整合を採ることができる）。
【００６０】
コピー制御情報ＣＣＩとしてＳＣＭＳを利用する場合は、例えば以下の方法を採用できる（ここではＳＣＭＳがコピーフリーの状態で転送されてきたときを想定）。
【００６１】
・チェック１…Encryptionの有無チェック
Encryptionありなら必要なDecryptionを行い再生実行。ＳＣＭＳは無条件にコピーワンスに設定；
Encryptionなしならチェック２へ；
・チェック２…ウォーターマーク検出確認
ウォーターマークＷＭありならチェック３へ；
ウォーターマークＷＭなしならチェック４へ；
・チェック３…ウォーターマークＷＭの値判定
ＷＭ＝“００”（コピーフリー）なら再生実行。ＳＣＭＳは“００”（コピーフリー）；
ＷＭ＝“０１”（コピーネバー）なら再生不実行（アナログ出力もデジタル出力も禁止）。ＳＣＭＳは“０１”（コピーネバー）；
・チェック４…デジタルコピー制御情報ＣＣＩの確認
ＣＣＩ＝“００”（コピーフリー）ならＳＣＭＳは“００”（コピーフリー）
ＣＣＩ＝“１０”（コピーワンス）ならＳＣＭＳは“１０”（コピーワンス）
ＣＣＩ＝“０１”（コピーネバー）または“１１”（ノーモアコピー）ならＳＣＭＳは“１０”（コピーワンス）。
【００６２】
図３は、この発明の一実施の形態に係るウォーターマーク処理方法を説明するフローチャートである。
【００６３】
図１のデジタル入力Ｄｉにウォーターマーク（ＷＭ−１とする）が挿入されているときは（ＳＴ１００の“ＷＭあり”）、そのウォーターマーク（ＷＭ−１）入りのコンテンツをＤ／Ａ変換してから（ＳＴ１０８）、アナログ出力（Ａｏ）を送出する（ＳＴ１１０）。デジタル入力Ｄｉにウォーターマークが挿入されていないが（ＳＴ１００の“ＷＭなし”）、コピー制御情報ＣＣＩがコピー制限情報（コピーネバーまたはノーモアコピー）を含むときは（ＳＴ１０２の“制限あり”）、アナログ変換前に所定のウォーターマーク（ＷＭ−２とする）を挿入する（ＳＴ１０４）。そして、そのウォーターマーク（ＷＭ−２）入りのコンテンツをＤ／Ａ変換してから（ＳＴ１０８）、ウォーターマーク（ＷＭ−２）入りのアナログ出力（Ａｏ）を送出する（ＳＴ１１０）。
【００６４】
図４は、図１の処理部１１２の内部構成の一例を説明するブロック図である。この処理部１１２は、ソース機器１００との相互認証（機器認証）を行う認証処理部１１２０と、認証後にソース機器１００から送られてきたデジタルコンテンツ中のウォーターマークＷＭを検出するＷＭ検出部１１２２と、認証後にソース機器１００から送られてきたデジタルコンテンツ中のコピー制御情報ＣＣＩを抽出するＣＣＩ抽出部１１２４と、認証後にソース機器１００から送られてきたデジタルコンテンツを処理するためのデータバッファ１１２６を備えて居る。送られてきたデジタルコンテンツがエンコード（ＭＰＥＧエンコード等）されているときは、バッファ１１２６はそのデコード用にも使用される。このバッファ１１２６でデコード処理後の画像情報等は、そこに適宜ウォーターマークＷＭを埋め込むために、ＷＭ生成・付加部１１２８に送られる。
【００６５】
ＷＭ検出部１１２２で適宜検出されたウォーターマークＷＭ（ＷＭ−１）と、ＣＣＩ抽出部１１２４で適宜抽出されたコピー制御情報ＣＣＩは、システムコントローラ１１３０に送られる。システムコントローラ１１３０は、マイクロコンピュータＭＰＵ、制御プログラムＲＯＭ、データＲＯＭ、ワークＲＡＭ等を含んで構成されており、図３に例示したような処理を実行するように構成されている。
【００６６】
すなわち、ＷＭ検出部１１２２でウォーターマーク（ＷＭ−１）が検出されれば、バッファ１１２６でデコードされたデジタルコンテンツ（ＷＭ−１入り）は、セレクタ１１３２を介してＤ／Ａ変換器１１４に送られ、アナログ出力Ａｏ（ＷＭ−１相当のウォーターマーク入り）となってシンク機器１２０に供給される。
【００６７】
ＷＭ検出部１１２２でウォーターマーク（ＷＭ−１）が検出されなければ、ＣＣＩ抽出部１１２４で抽出されたコピー制御情報ＣＣＩの内容（図２参照）に応じて、所定のウォーターマーク（ＷＭ−２）が、ＷＭ生成・付加部１１２８で生成される（この生成方法の具体例は、図１４以下を参照して後述する）。
【００６８】
このＷＭ−２の生成には、その生成が必要と分かってから生成完了まで多少の時間を要する。この生成完了までの時間分、デコードされたデジタルコンテンツはバッファ１１２６内で待機している。抽出されたコピー制御情報ＣＣＩの内容に応じた所定のウォーターマーク（ＷＭ−２）の生成が完了すれば、このＷＭ−２がバッファ１１２６内のデコード後のコンテンツに付加され、ＷＭ−２が付加されたコンテンツが、セレクタ１１３２を介してＤ／Ａ変換器１１４に送られる。そして、Ｄ／Ａ変換されたアナログ出力Ａｏ（ＷＭ−２相当のウォーターマーク入り）となってシンク機器１２０に供給される。
【００６９】
図４の構成（図３の処理手順に対応）は、、コピー制御情報ＣＣＩよりもウォーターマークＷＭの有無の判断を優先して処理している点と、内部生成したウォーターマークＷＭ−２を付加する際のコンテンツとのタイミング合わせを、コンテンツのデコード用バッファ１１２６に兼務させている点に、特徴がある。（この兼務をさせないときは、例えばＭＰＥＧデコード用バッファの他に、内部生成したＷＭー２付加時のタイミング合わせ用バッファが別途必要になる。）
図５は、図１の処理部１１２の内部構成の他例を説明するブロック図である。図５の構成は、図４の構成におけるウォーターマーク検出部１１２２とコピー制御情報抽出部１１２４の配置が入れ替わっている点で、異なっている。これに伴い、システムコントローラ１１３０＊の内部制御プログラムも処理手順の変更がなされる。
【００７０】
すなわち、ＣＣＩ抽出部１１２４＊で入力されたデジタルコンテンツがコピープロテクトされているか否かをまずチェックする。このチェックが済んだら、入力されたコンテンツにウォーターマーク（ＷＭ−１）が埋め込まれているか否かをＷＭ検出部１１２２＊でチェックする。ウォーターマーク（ＷＭ−１）が埋め込まれておれば、バッファ１１２６でデコード後のデジタルコンテンツはＤ／Ａ変換器１１４に送られ、Ｄ／Ａ変換されてウォーターマーク（ＷＭ−１相当）入りのアナログ出力Ａｏがシンク機器１２０に送られる。
【００７１】
ウォーターマーク（ＷＭ−１）が埋め込まれていなければ、抽出したＣＣＩの内容に基づいて（図２参照）、ＷＭ生成・付加部１１２８内で所定のウォーターマーク（ＷＭ−２）が生成され、バッファ１１２６でデコード後のデジタルコンテンツに生成したウォーターマーク（ＷＭ−２）が付加される。こうしてウォーターマークＷＭ−２が埋め込まれたコンテンツが、Ｄ／Ａ変換部１１４でアナログ出力Ａｏに変換されて、シンク機器１２０に送られる。
【００７２】
図５の構成では、相対的に時間のかかるＷＭ検出よりも先にＣＣＩチェックを行い、ＣＣＩチェック後は直ちに入力されたコンテンツをＭＰＥＧデコード等のためにデータバッファ１１２６に送るようにしている。このようにすると、バッファ１１２６内でＭＰＥＧデコード等の処理をしている間に、パラレルに、ＷＭ検出部１１２２＊でウォーターマーク（ＷＭ−１）の検出処理を開始することができる。
【００７３】
なお、上記説明では、デコーダ１１０の入力Ｄｉはデジタルコンテンツであるとしたが、この入力Ｄｉには、以前アナログであったコンテンツをデジタル化したコンテンツも含まれる。例えば、最初はアナログコピー世代管理システム（ＣＧＭＳ−Ａ）でコピー管理されたアナログ映像をＡ／Ｄ変換してデジタル記録し、このデジタル記録されたコンテンツをデジタルコピー世代管理システム（ＣＧＭＳ−Ｄ）でコピー管理した場合を考えてみる。この場合、このＣＧＭＳ−Ｄで管理されたデジタルコンテンツをこの発明に係るデコーダ１１０の入力Ｄｉとしてやれば、最初のアナログコンテンツ（およびその後のデジタルコンテンツ）にウォーターマーク（ＷＭ−１）が埋め込まれていなくても、デコーダ１１０からのアナログ出力Ａｏには（ＣＧＭＳ−Ｄの内容に応じて）適宜ウォーターマーク（ＷＭ−２）を埋め込むことができる。
【００７４】
また、ソースがＤＶＤビデオのとき、データセクタに書き込まれた著作権管理情報（ＣＰＲ＿ＭＡＩ）をコピー制御情報ＣＣＩとして使うことができる。
【００７５】
また、図１の１００〜１１０間のデジタル伝送は、銅線、光、無線のいずれでも可能である。
【００７６】
図６は、この発明の一実施の形態に係るウォーターマーク処理装置が組み込まれたコンテンツ記録再生装置（ＨＤＤ／ＤＶＤレコーダ）の概略構成を説明するブロック図である。この実施の形態では、要素２１〜２３とＤ／Ａ変換器１１４が、図１のデコード１０に対応している。
【００７７】
まず、この実施の形態では、コンテンツに対してウォーターマーク（ＷＭ）が埋め込まれ、このウォーターマークにはコピー制御情報（ＣＣＩ）が含まれているものとする。そして、コンテンツが表示されるときに、同時或いは独自にコピー制御情報がユーザに対して表示される。
【００７８】
図６は、コンテンツの記録再生装置の概略構成を示す図である。このコンテンツの記録再生装置は、この発明の一実施の形態に係るウォーターマークを含むコンテンツの記録装置の一例である。図６に示すように、コンテンツの記録再生装置は、プレイヤー／ＳＴＢ（セットトップボックス）１０、及びレコーダ２０を備えている。プレイヤー／ＳＴＢ１０は、インターフェース（Ｉ／Ｆ）１１、ウォーターマーク検出部１２、表示制御部１３、表示部１４を備えている。レコーダ２０は、インターフェース（Ｉ／Ｆ）２１、ウォーターマーク検出部２２、ウォーターマーク処理部２３、表示制御部２４、表示部２５、ハードディスクドライブ（ＨＤＤ）２６、ディスクレコーダ２７を備えている。
【００７９】
図７に示すフローチャートを参照して、コンテンツ再生時の処理について説明する。図７は、ウォーターマーク検知表示処理を説明するフローチャートである。
【００８０】
衛星放送（ＢＳ）により提供されるオリジナルコンテンツは、プレイヤー／ＳＴＢ１０のインターフェース１１を介して受信され（ＳＴ１１）、プレイヤー／ＳＴＢ１０により再生される。プレイヤー／ＳＴＢ１０のウォーターマーク検出部１２は、オリジナルコンテンツにウォーターマーク（ＷＭorg）が埋め込まれている場合、このウォーターマーク（ＷＭorg）を検出する。
【００８１】
ウォーターマーク検出部１２が、オリジナルコンテンツからウォーターマーク（ＷＭorg）を検出した場合（ＳＴ１２、ＹＥＳ）、表示制御部１３に対して、ウォーターマーク（ＷＭorg）の検出が通知される。この通知を受けた表示制御部１３は、表示部１４に対して、受信されたコンテンツには著作権が有ることを示す情報を表示させる。表示の一例として、表示部１４には、「copyright」が表示される（ＳＴ１３）。コンテンツに著作権が有るこを示す情報は、コンテンツの表示と同じタイミングで表示されたり、或いはコンテンツの表示とは関係なく独自のタイミングで表示されたりする。また、ウォーターマーク（ＷＭorg）に含まれるコピー制御情報が解読され、コピー制限がかけられている場合にその旨表示するようにしてもよい。
【００８２】
ウォーターマーク検出部１２が、コンテンツからウォーターマーク（ＷＭorg）を検出しない場合（ＳＴ１２、ＮＯ）、表示制御部１３に対して、ウォーターマークの不検出が通知される。この通知を受けた表示制御部１３は、表示部１４に対して、受信されたコンテンツには著作権が無いことを表示させる（ウォーターマーク以外のコピー制御情報がない場合）。表示の一例として、表示部１４には、「フリーコンテンツ」が表示される（ＳＴ１４）。或いは、何も表示しないようにしてもよい。
【００８３】
なお、表示部１４は、図６に示すように、プレーヤー／ＳＴＢ１０本体に組み込まれた表示装置（表示窓）であってもよし、プレーヤー／ＳＴＢ１０に外付けされたＴＶまたはＣＲＴなどの表示装置であってもよい。
【００８４】
図８〜図１１は、表示部に表示される表示内容の一例を示す図である。
【００８５】
図８は、コンテンツに埋め込まれたウォーターマークにより、コンテンツが著作権保護されており、このコンテンツのコピーを禁止することを文字で表示した例である。
【００８６】
図９は、コンテンツに埋め込まれたウォーターマークにより、コンテンツが著作権保護されており、このコンテンツのコピーを禁止することを記号で表示した例である。
【００８７】
図１０は、コンテンツに埋め込まれたウォーターマークにより、コンテンツが著作権保護されており、このコンテンツのコピー回数が例えば１回だけ許可されているときに、このコンテンツのコピーが１回だけ可能であることを文字で表示した例である。
【００８８】
図１１は、コンテンツに埋め込まれたウォーターマークにより、コンテンツが著作権保護されて無く、このコンテンツのコピーが自由である場合に、そのコンテンツがコピーフリーであることを文字で表示した例である。
【００８９】
次に、図１２を参照して、１回だけコピーが許可されたオリジナルコンテンツのコピー処理その１を説明する。まず、プレーヤー／ＳＴＢ１０のインターフェース１１を介してワンスコピー（あるいはコピーワンス）コンテンツ（＝オリジナルコンテンツ）が受信される（ＳＴ２１）。このワンスコピーコンテンツにはウォーターマーク（ＷＭorg）が埋め込まれており、このウォーターマーク（ＷＭorg）には１回だけコピーを許可するコピー制御情報が含まれている。プレイヤー／ＳＴＢ１０のウォーターマーク検出部１２は、ワンスコピーコンテンツに埋め込まれているウォーターマーク（ＷＭorg）を検出する（ＳＴ２２）。このとき、表示制御部１３により、表示部１４に対して、検出されたウォーターマーク（ＷＭorg）に含まれるコピー制御情報の表示が指示され、表示部１４にコピー制御情報が表示される（ＳＴ２３）。このときの表示内容は、例えば、「このコンテンツは１回だけコピーが許可されております」である。
【００９０】
ワンスコピーコンテンツを記録する場合、ワンスコピーコンテンツはプレーヤー／ＳＴＢ１０のインターフェース１１から出力され記録処理部２０のインターフェース２１に入力され、一旦、ハードディスクドライブ（ＨＤＤ）２６に格納される。このハードディスクドライブ２６に格納されたワンスコピーコンテンツを、ディスクレコーダ２７により光ディスクなどの記録媒体に記録する場合には、まず、ウォーターマーク検出部２２が、ワンスコピーコンテンツに含まれるウォーターマーク（ＷＭorg）を検出する。ワンスコピーコンテンツに含まれるウォーターマーク（ＷＭorg）には、１回だけコピーを許可するコピー制御情報が含まれている。つまり、ウォーターマーク検出部２２による検出処理により、ワンスコピーコンテンツからウォーターマーク（ＷＭorg）が検出されるとともに、このウォーターマーク（ＷＭorg）には１回だけコピーを許可するコピー制御情報が含まれていることが判明する。このとき、ウォーターマーク処理部２３は、ワンスコピーコンテンツに含まれるコピー制御情報を書き換える。具体的に言うと、ウォーターマーク処理部２３は、ワンスコピーコンテンツに含まれる１回だけコピーを許可するコピー制御情報を、コピーを許可しないコピー制御情報に書き換える。コピーを許可しないコピー制御情報を含むコンテンツを、ノーモアコピーコンテンツ（あるいは、初めからコピーが禁止されたコンテンツならコピーネバーコンテンツ）と称する。
【００９１】
つまり、ワンスコピーコンテンツ（コピー制御情報＝ワンスコピー）はノーモアコピーコンテンツ（コピー制御情報＝ノーモアコピー）（あるいはコピー制御情報＝コピーネバー）に変換されてから（ＳＴ２４）、ディスクドライブ２５により光ディスクなどの記録媒体に記録される（ＳＴ２５）。これにより、記録媒体に記録されたコンテンツは、この記録媒体から他の記録媒体へ記録することはできない。また、ノーモアコピーコンテンツ（あるいはコピーネバーコンテンツ）が記録媒体に記録される際には、表示部２５にノーモアコピーコンテンツ（あるいはコピーネバーコンテンツ）に含まれるコピー制御情報が表示される（ＳＴ２６）。このときの表示内容は、例えば、「このコンテンツは他へコピーできません」である。
【００９２】
次に、図１３を参照して、１回だけコピーが許可されたオリジナルコンテンツのコピー処理その２を説明する。まず、プレーヤー／ＳＴＢ１０のインターフェース１１を介してワンスコピーコンテンツ（＝オリジナルコンテンツ）が受信される（ＳＴ３１）。このワンスコピーコンテンツにはオリジナルウォーターマーク（ＷＭorg）が埋め込まれており、このオリジナルウォーターマーク（ＷＭorg）には１回だけコピーを許可するコピー制御情報が含まれている。プレイヤー／ＳＴＢ１０のウォーターマーク検出部１２は、オリジナルコンテンツに埋め込まれているウォーターマーク（ＷＭorg）を検出する（ＳＴ３２）。このとき、表示制御部１３により、表示部１４に対して、検出されたオリジナルウォーターマーク（ＷＭorg）に含まれるコピー制御情報の表示が指示され、表示部１４にコピー制御情報が表示される（ＳＴ３３）。このときの表示内容は、例えば、「このコンテンツは１回だけコピーが許可されております」である。
【００９３】
ワンスコピーコンテンツを記録する場合、ワンスコピーコンテンツはプレーヤー／ＳＴＢ１０のインターフェース１１から出力され記録処理部２０のインターフェース２１に入力され、一旦、ハードディスクドライブ（ＨＤＤ）２６に格納される。このハードディスクドライブ２６に格納されたワンスコピーコンテンツを、ディスクレコーダ２７により光ディスクなどの記録媒体に記録する場合には、まず、ウォーターマーク検出部２２が、ワンスコピーコンテンツに含まれるオリジナルウォーターマーク（ＷＭorg）を検出する。ワンスコピーコンテンツに含まれるオリジナルウォーターマーク（ＷＭorg）には、１回だけコピーを許可するコピー制御情報が含まれている。つまり、ウォーターマーク検出部２２による検出処理により、ワンスコピーコンテンツからオリジナルウォーターマーク（ＷＭorg）が検出されるとともに、このオリジナルウォーターマーク（ＷＭorg）には１回だけコピーを許可するコピー制御情報が含まれていることが判明する。このとき、ウォーターマーク処理部２３は、ワンスコピーコンテンツのオリジナルウォーターマーク（ＷＭorg）に含まれるコピー制御情報を書き換える。具体的に言うと、ウォーターマーク処理部２３は、ワンスコピーコンテンツのオリジナルウォーターマーク（ＷＭorg）に含まれる１回だけコピーを許可するコピー制御情報を、コピーを許可しないコピー制御情報に書き換える。コピーを許可しないコピー制御情報を含むコンテンツを、ノーモアコピーコンテンツ（あるいはコピーネバーコンテンツ）と称する。
【００９４】
さらに、ウォーターマーク処理部２３は、ノーモアコピーコンテンツに対して、オリジナルウォーターマーク（ＷＭorg）とは別の形態で新規ウォーターマーク（ＷＭnew）を埋め込む。新規ウォーターマーク（ＷＭnew）に含まれるコピー制御情報は、オリジナルウォーターマーク（ＷＭorg）に含まれるコピー制御情報と同一である。つまり、この場合には、オリジナルウォーターマーク（ＷＭorg）に含まれるコピー制御情報、及び新規ウォーターマーク（ＷＭnew）に含まれるコピー制御情報は、共にコピーを許可しないコピー制御情報となる。
【００９５】
まとめると、ワンスコピーコンテンツ（オリジナルウォーターマークＷＭorgに含まれるコピー制御情報＝ワンスコピー）は、ノーモアコピーコンテンツ（オリジナルウォーターマークＷＭorgに含まれるコピー制御情報＝ノーモアコピー；あるいはコピー制御情報＝コピーネバー）に変換され（ＳＴ３４）、新規ウォーターマーク（ＷＭnew）が埋め込まれて、新規コンテンツとして生成されてから（ＳＴ３５）、ディスクドライブ２５により光ディスクなどの記録媒体に記録される（ＳＴ３６）。
【００９６】
記録媒体に記録された新規コンテンツは、オリジナルウォーターマーク（ＷＭorg）に含まれるコピー制御情報（＝ノーモアコピーあるいはコピーネバー）及び新規ウォーターマーク（ＷＭnew）に含まれるコピー制御情報（＝ノーモアコピーあるいはコピーネバー）により、この記録媒体から他の記録媒体へ記録することはできない。２重のコピー制御情報によりコピーが禁止されるため、より強固に著作権が守られることになる。言い換えると、記録処理部２０によるコンテンツの著作権保護が可能となる。
【００９７】
また、新規コンテンツが記録媒体に記録される際には、表示部２５に新規コンテンツのオリジナルウォーターマーク（ＷＭorg）に含まれるコピー制御情報が表示される（ＳＴ３７）。このときの表示内容は、例えば、「このコンテンツは他へコピーできません」である。しかし、新規ウォーターマーク（ＷＭnew）に含まれるコピー制御情報は一切表示されない。
【００９８】
なお、上記説明では新規コンテンツをオリジナルウォーターマークＷＭorgと新規ウォーターマークＷＭnewの２つで２重にコピープロテクトする場合を例示した。しかし、新規コンテンツは、オリジナルウォーターマークＷＭorgの最初のコピー制御情報から書き替えられた内容のコピー制御情報を持つところの、新規ウォーターマークＷＭnewだけでコピープロテクトされてもよい。
【００９９】
もし、新規コンテンツが２つのウォーターマークＷＭorgおよびＷＭnewを持つことができ、このような新規コンテンツが図１のソース機器１００からデコード１０に送出されるときは、次のようにすればよい。すなわち、デコーダ１１０は、デジタル入力Ｄｉ中にＷＭorgおよびＷＭnewの少なくとも一方が含まれておれば、デジタル入力Ｄｉ中に含まれているＷＭorgおよび／またはＷＭnewに対応するウォーターマークＷＭ−２をアナログ出力Ａｏに埋め込む。
【０１００】
次に、図１４を参照して、ウォーターマーク処理部２３による新規ウォーターマークの埋め込み処理について説明する。（この埋め込み処理は、図１の処理部１１２におけるウォーターマーク付加処理に対応し、また、図４または図５のＷＭ生成・付加部１１２８の処理に対応する。）
図１４は、ウォーターマーク処理部２３における新規ウォターマーク埋め込み部の概略構造（具体的な処理はデジタル処理）の一例を示す図である。図１４に示すように、ウォーターマーク処理部２３の新規ウォターマーク埋め込み部は、デジタル空間周波数フィルタ（ＳＦＦ：Spatial Frequency Filter）２３１、デジタル位相シフト処理部（Phase Shift）２３２、デジタル振幅変調部（Amplitude Modulation）２３３、及びデジタル加算器２３４などを備えている。
【０１０１】
空間周波数フィルタ２３１は、新規ウォーターマークの埋め込み処理の対象となるオリジナルコンテンツから特定の空間周波数成分を抽出する。抽出された空間周波数成分は、複数の走査ラインに対応して設けられた位相シフト処理部２３２に入力される。位相シフト処理部２３２は、抽出された特定周波数成分を適宜位相シフトする。各位相シフト処理部２３２には、対応する振幅変調部２３３が接続されている。これらの振幅変調部２３３は、与えられたActivity情報に基づいて、適宜アクティブとなる。アクティブとされた振幅変調部２３３は、オリジナルコンテンツの信号振幅成分に対応させて、与えられたコピー制御情報（ＣＣＩ）の内容（コピーワンス、ノーモアコピーなど）に基づき、位相シフトされた信号の振幅成分を調整する。（一例を挙げれば、８ビットで量子化された振幅成分の下位７〜８ビット目の内容をＣＣＩの内容に対応して変化させる。）
各振幅変調部２３３には、対応する加算器２３４が接続されている。各加算器２３４は、振幅が調整された信号成分（新規ウォーターマークに対応）をオリジナルコンテンツに加算する。以上の処理により、オリジナルウォーターマークを含むオリジナルコンテンツに対して、新規ウォーターマークを埋め込み、新規コンテンツを生成することができる。
【０１０２】
オリジナルウォーターマークと新規ウォーターマークの形態は、例えば位相シフト方向を画面に対して縦方向と横方向に変えることにより、異なるものとなる。しかし、上記した位相シフト方向だけに限らず、表示画面を２分割し、画面上部にオリジナルウォーターマークを埋め込み、画面下部に新規ウォーターマークを埋め込む等、あらゆるウォーターマークの形態を適用することができる。
【０１０３】
次に、図１５を参照して、ウォーターマーク検出部２２によるウォーターマークの検出処理について説明する。（この検出処理は、図１の処理部１１２におけるウォーターマーク検出処理に対応し、また、図４のＷＭ検出部１１２２または図５のＷＭ検出部１１２２＊の処理に対応する。）
図１５は、ウォーターマーク検出部２２におけるウォターマーク検出処理部の概略構造の一例を示す図である。図１５に示すように、ウォーターマーク検出部２２内のウォターマーク検出処理部は、デジタル空間周波数フィルタ（Spatial Frequency Filter）２２１、デジタル位相シフト処理部（Phase Shift）２２２、デジタル振幅変調部（Amplitude Modulation）２２３、及びデジタル位相補正回路２２４などを備えている。
【０１０４】
空間周波数フィルタ２２１は、コンテンツから特定の空間周波数成分を抽出する。位相シフト処理部２２２は、抽出された特定周波数成分を適宜位相シフトする。振幅変調部２２３は、Activity情報が与えられると、オリジナルコンテンツの信号振幅成分に対応させて、位相シフトされた信号の振幅成分を調整する。位相補正回路２２４は、振幅が調整された信号成分の位相シフトの補正量（Correlation ブロックからの出力値）を検出し、検出された補正量と与えられたShift Position情報に基づき、コンテンツに埋め込まれたウォーターマークを検出する。
【０１０５】
次に、図１６を参照して、位相シフトの補正量（Correlation Value）の検出についてさらに説明する。図１６に示すように、空間周波数フィルタ（デジタルＳＦＦ）２２１によりコンテンツ（Input Image）を処理すると、フィルタ処理されたコンテンツ（Filtered Image）が得られる。得られたFiltered Imageに関して、表示画面上の各走査毎の波形成分を加算（累積）処理すると、高精度な位相シフト補正量の検出信号が得られる。すなわち、Filtered Imageの走査ライン毎の振幅成分をライン並び方向に累積（Accumulation）して行くと、Filtered Imageに関して相関性のない成分に対して、相関性のある成分の大きさが相対的に大きくなる。このことから、Filtered Imageの位置（Shift Position）を正確に特定できるようになる。そうすれば、Filtered Imageの位置から、ウォーターマークの情報を抽出できる。
【０１０６】
上記説明では、レコーダ２０において新規ウォーターマークが書き換えられるケースについて説明したが、この発明の実施の形態はこれに限定されるものではない。例えば、新規ウォーターマークを、レコーダ２０で記録されたことをトレースするためのマークとして使用するようにしてもよい。この場合、新規ウォーターマークの書き換えは必要ではない。
【０１０７】
また、上記説明では、ワンスコピーコンテンツの処理について説明したが、この発明はこれに限定されるものではない。例えば、多数回コピーが許可されるコンテンツにも適用できる。
【０１０８】
また、上記説明では、オリジナルウォーターマークの他に新規ウォーターマークを埋め込むケースについて説明したが、この新規ウォーターマークは、一つであってもよいし、複数であってもよい。新規ウォータマークを複数埋め込む場合でも、オリジナルウォータマークが書き換えられる毎に、書き換えられた内容が表示され、複数の新規ウォーターマークに関する情報は表示されない。
【０１０９】
また、図６に示すコンテンツ記録再生装置では、ウォーターマーク以外のコピー制御情報が何らかの方法で不正にキャンセルあるいは改ざんされたとしても、あるいはコピー制限の無いコンテンツでも、その著作権をある程度保護することができる。つまり、図６に示すコンテンツ記録再生装置によりコンテンツを（デジタルあるいはアナログで）コピーする場合、コピーされた新規コンテンツ（１回コピーされたコンテンツ）には、この記録再生装置独自の新規ウォーターマークを埋め込むことができる。この新規コンテンツ（１回コピーされたコンテンツ）が、再度、コンテンツ記録再生装置によりコピーされると、コピーされた新規コンテンツ（２回コピーされたコンテンツ）には、この記録再生装置独自の新規ウォーターマークがさらに埋め込まれる。このようにして、コピーの度に、記録再生装置独自の新規ウォーターマークがコンテンツに埋め込まれることになり、コンテンツのクォリティは次第に劣化する。このように、繰り返しコピーによりコンテンツが劣化するため、コピー制限の無いコンテンツの著作権をある程度保護することができる。
【０１１０】
この発明の一実施の形態による効果をまとめると以下の通りである。
【０１１１】
（０１）コンテンツに含まれるウォーターマーク（オリジナルウォーターマーク）が書き換えられる毎に、ウォーターマーク（オリジナルウォーターマーク）に含まれるコピー制御情報が表示される。これにより、一般ユーザが、コンテンツをコピーできるのか、何回コピーできるのかなどを把握することができ、トラブルを防止できる。
【０１１２】
（０２）オリジナルウォーターマークの埋め込み方法は規格等である。このため、ユーザーサイドでこのオリジナルウォーターマークに含まれるコピー制御情報が改ざんされるおそれがある。一方、レコーダ独自の新規ウォーターマークは埋め込み方法を非公開にするばかりでなく、新規ウォーターマークの存在自体も秘密にする。つまり、オリジナルウォーターマークとは別に、レコーダ独自の新規ウォーターマークをコンテンツに埋め込むことにより、コンテンツの履歴管理が容易となり、著作権保護機能が強化できる。例えば、オリジナルウォーターマークに含まれるコピー制御情報と、レコーダ独自の新規ウォーターマークに含まれるコピー制御情報とが一致しない場合には、コピー制御情報が改ざんされているものと判断できる。このように、レコーダ独自の新規ウォーターマークをコンテンツに埋め込むことにより、コンテンツの不正コピー防止能力を大幅に向上させることができる。この発明は、コンテンツが光ディスクに記録されるケースに限らず、コンテンツがＨＤＤや磁気テープに記録される場合にも適用できる。
【０１１３】
この発明の実施によれば、著作権保護に好適なウォーターマークを含むコンテンツの記録装置及びウォーターマークを含むコンテンツの記録方法を提供できる。
【０１１４】
［実施の形態に応じた効果］
（１）ウォーターマークがあるデジタルコンテンツのアナログ出力にはそのウォーターマークを付けてアナログ出力し、ウォーターマークがないデジタルコンテンツでもそのコピー制御情報がコピー禁止を示しているときは内部生成したウォーターマークを付けてアナログ出力するようにしている。すると、コピープロテクトされるべきコンテンツのアナログ出力には（元のデジタルコンテンツにウォーターマークがなくても）ウォーターマークが付いてくる。そのため、ウォーターマークがない既存のコピープロテクトされるべきコンテンツ（ウォーターマークが記録されていない既存のＤＶＤビデオソフト等）のアナログ出力もウォーターマークで不正コピーから保護される（昔一部の市場で販売されていたコピープロテクトキャンセラによりそのアナログ出力の録画が仮にできてしまったとしても、そのアナログ出力からの録画が不正なコピーであることは、録画されたコンテンツ内のウォーターマークから容易に分かる）。
【０１１５】
（２）この発明の実施に係る装置（デコーダ）１１０をソース機器１００とシンク機器１２０との間に設けておけば、「一旦取り付けたら外せない」特別なアダプタをサービスマンによりシンク機器に取り付けてもらわなくても、アナログ信号段階での不正コピーを（アナログ信号に埋め込んだウォーターマークによって）容易に発見し防止することができる。
【０１１６】
（３）ＢＳデジタル放送等により既に市場に出回っているＨＤ（High Definition）映像にはウォーターマークが埋め込まれておらず、強力なコピー防止の制御ができない状態にある。しかし、例えばアナログ映像の場合はＣＧＭＳ−Ａ、デジタル映像の場合はＣＧＭＳ−Ｄの情報から、（ＣＧＭＳ−ＡまたはＣＧＭＳ−Ｄがコピー禁止情報を含んでおれば）既存のＨＤ映像に対してもこの発明によるウォーターマークを埋め込むことができる。この方法は既に市場に出回っているコンテンツとの間の互換性が良く、互換性の問題を伴わずに、既に出回っているコンテンツもウォーターマークで保護できる。
【０１１７】
（４）この発明の実施に係る装置（デコーダ）１１０は比較的小規模な構成で実現できる。そのため、この装置１１０は、ＩＣ化して（あるいは別のＬＳＩの内部に組み込んで）量産することにより、ローコストで商品化できる。
【０１１８】
なお、この発明は前述した実施の形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【０１１９】
【発明の効果】
以上詳述したように、この発明によれば、デジタルコンテンツがアナログ変換された後の不正コピーを防止（あるいは抑制）することができる。
【図面の簡単な説明】
【図１】  この発明の一実施の形態に係るウォーターマーク処理装置の基本構成例を説明するブロック図。
【図２】  図１の処理部１１２内において、アナログ出力へのウォーターマークの埋め込みをどのようにして行うかの一例を説明する図。
【図３】  この発明の一実施の形態に係るウォーターマーク処理方法を説明するフローチャート図。
【図４】  図１の処理部１１２の内部構成の一例を説明するブロック図。
【図５】  図１の処理部１１２の内部構成の他例を説明するブロック図。
【図６】  この発明の一実施の形態に係るウォーターマーク処理装置が組み込まれたコンテンツ記録再生装置（ＨＤＤ／ＤＶＤレコーダ）の概略構成を説明するブロック図。
【図７】  ウォーターマーク表示検知処理を説明するフローチャート図。
【図８】  コンテンツがコピー禁止であることを文字で表示した画面の一例を説明する図。
【図９】  コンテンツがコピー禁止であることを記号で表示した画面の一例を説明する図。
【図１０】  コンテンツが１回だけコピーできることを文字で表示した画面の一例を説明する図。
【図１１】  コンテンツがコピーフリーであることを文字で表示した画面の一例を説明する図。
【図１２】  コンテンツ処理例（その１）を説明するフローチャート図。
【図１３】  コンテンツ処理例（その２）を説明するフローチャート図。
【図１４】  図６のウォーターマーク処理部２３における新規ウォターマーク埋め込み部の概略構成を説明する図。
【図１５】  図６のウォーターマーク処理部２３におけるウォターマーク検出処理部の概略構成を説明する図。
【図１６】  ウォーターマークに対する位相シフトの補正量検出を説明する図。
【符号の説明】
１００…デジタルソース機器（チューナ・プレーヤ等）；１１０…ウォーターマーク処理装置（デコーダ）；１１２…処理部（コピー制御情報の検出・解読処理／ウォーターマークの検出・生成・付加処理）；１１４…Ｄ／Ａ変換器；１２０…アナログシンク機器（ＨＤディスプレイ等）；１０…プレイヤー／ＳＴＢ（セットトップボックス）；１１…インターフェース（Ｉ／Ｆ）；１２…ウォーターマーク検出部；１３…表示制御部；１４…表示部；２０…レコーダ２１…インターフェース（Ｉ／Ｆ）；２２…ウォーターマーク検出部；２３…ウォーターマーク処理部；２４…表示制御部；２５…表示部；２６…ハードディスクドライブ（ＨＤＤ）；２７…ディスクレコーダ（ＤＶＤビデオレコーダ）。
【図１】
0003670649.tif 000002
【図２】
0003670649.tif 000003
【図３】
0003670649.tif 000004
【図４】
0003670649.tif 000005
【図５】
0003670649.tif 000006
【図６】
0003670649.tif 000007
【図７】
0003670649.tif 000008
【図８】
0003670649.tif 000009
【図９】
0003670649.tif 000010
【図１０】
0003670649.tif 000011
【図１１】
0003670649.tif 000012
【図１２】
0003670649.tif 000013
【図１３】
0003670649.tif 000014
【図１４】
0003670649.tif 000015
【図１５】
0003670649.tif 000016
【図１６】
0003670649.tif 000017